【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
アクセスポイントとして動作可能な画像形成装置であって、
前記アクセスポイントへの接続が確立されたクライアントがリストとして表示され、前記アクセスポイントとの間で確立された接続をキャンセルするクライアントが指定可能であるリスト画面を表示手段に表示させる制御手段、を備え、
前記制御手段は、前記アクセスポイントへの接続が確立されているクライアントの数が所定数である場合、他のクライアントからの前記アクセスポイントへの接続確立の要求の受信に応じて、ユーザに通知画面を表示させ、前記アクセスポイントへの接続が確立されているクライアントの数が前記所定数でない場合、前記要求の受信に応じて、前記ユーザに前記通知画面を表示させることなく、前記他のクライアントの前記アクセスポイントへの接続を確立させ、
前記通知画面は、前記リスト画面へ遷移させるための選択項目を含む、
ことを特徴とする画像形成装置。
【請求項２】
アクセスポイントとして動作可能な画像形成装置であって、
前記アクセスポイントへの接続が確立されたクライアントがリストとして表示され、前記アクセスポイントとの間で確立された接続をキャンセルするクライアントの指定の指示が可能なリスト画面を表示手段に表示させる制御手段と、
前記制御手段は、前記アクセスポイントへの接続が確立されているクライアントの数が所定数である場合、他のクライアントからの前記アクセスポイントへの接続確立の要求の受信に応じて、ユーザに通知メッセージを表示させ、前記アクセスポイントへの接続が確立されているクライアントの数が前記所定数でない場合、前記要求の受信に応じて、前記ユーザに前記通知メッセージを表示させることなく、前記他のクライアントの前記アクセスポイントへの接続を確立させ、
前記通知メッセージは、前記キャンセルの指示を促すためのメッセージである、
ことを特徴とする画像形成装置。
【請求項３】
前記リスト画面は、全てのクライアントの前記アクセスポイントへの各確立された接続をキャンセルするための選択項目を含むことを特徴とする請求項１又は２に記載の画像形成装置。
【請求項４】
前記リスト画面は、各クライアントの識別情報を含むことを特徴とする請求項１乃至３のいずれか１項に記載の画像形成装置。
【請求項５】
前記識別情報は、通信履歴情報に基づいてソートされていることを特徴とする請求項４に記載の画像形成装置。
【請求項６】
前記リスト画面は、各クライアントの通信履歴情報を含むことを特徴とする請求項１乃至５のいずれか１項に記載の画像形成装置。
【請求項７】
前記制御手段は、特定の選択項目を含む特定の画面を前記表示手段に表示させ、
前記制御手段は、所定の状況における前記特定の選択項目の選択に応じて、前記アクセスポイントへの接続をキャンセルするクライアントを前記リストから指定する指示が可能な画面を前記表示手段に表示させ、前記所定の状況と異なる状況における前記特定の選択項目の選択に応じて、該指示が可能でない画面を前記表示手段に表示させる、
ことを特徴とする請求項１乃至６のいずれか１項に記載の画像形成装置。
【請求項８】
前記制御手段は、前記アクセスポイントのＳＳＩＤ情報が配置された画面を前記表示手段に表示させることを特徴とする請求項１乃至７のいずれか１項に記載の画像形成装置。
【請求項９】
前記制御手段は、前記アクセスポイントへの接続が確立されたクライアントの数が配置された画面を前記表示手段に表示させることを特徴とする請求項１乃至８のいずれか１項に記載の画像形成装置。
【請求項１０】
前記リスト画面において指定された選択項目に対応するクライアント情報は、接続拒否リストに保存されることを特徴とする請求項１乃至９のいずれか１項に記載の画像形成装置。
【請求項１１】
前記接続拒否リストから前記クライアント情報を削除する指示が可能な画面を前記表示手段に表示させることを特徴とする請求項１０に記載の画像形成装置。
【請求項１２】
アクセスポイントとして動作可能な画像形成装置であって、
前記アクセスポイントへの接続が確立されたクライアントの数と特定のボタンが配置された第１の画面を表示手段に表示させ、前記アクセスポイントへの接続が確立されたクライアントがリストとして表示され、前記特定のボタンの選択に基づいて、前記アクセスポイントとの間で確立された接続をキャンセルするクライアントが指定可能である第２の画面を前記表示手段に表示させる制御手段、
を備えることを特徴とする画像形成装置。
【請求項１３】
前記第２の画面は、全てのクライアントの前記アクセスポイントへの各確立された接続をキャンセルするための選択項目を含むことを特徴とする請求項１２に記載の画像形成装置。
【請求項１４】
前記第２の画面は、各クライアントの識別情報を含むことを特徴とする請求項１２又は１３に記載の画像形成装置。
【請求項１５】
前記識別情報は、通信履歴情報に基づいてソートされていることを特徴とする請求項１４に記載の画像形成装置。
【請求項１６】
前記第２の画面は、各クライアントの通信履歴情報を含むことを特徴とする請求項１２乃至１５のいずれか１項に記載の画像形成装置。
【請求項１７】
前記第１の画面は、前記アクセスポイントのＳＳＩＤ情報が配置されている画面であることを特徴とする請求項１２乃至１６のいずれか１項に記載の画像形成装置。
【請求項１８】
前記第１の画面は、前記アクセスポイントの鍵情報が配置されている画面であることを特徴とする請求項１２乃至１７のいずれか１項に記載の画像形成装置。
【請求項１９】
前記第１の画面は、前記アクセスポイントとしての動作を終了するためのボタンが配置されている画面であることを特徴とする請求項１２乃至１８のいずれか１項に記載の画像形成装置。
【請求項２０】
前記第２の画面において指定された選択項目に対応するクライアント情報は、接続拒否リストに保存されることを特徴とする請求項１２乃至１９のいずれか１項に記載の画像形成装置。
【請求項２１】
前記制御手段は、前記接続拒否リストから前記クライアント情報を削除する指示が可能な画面を前記表示手段に表示させることを特徴とする請求項２０に記載の画像形成装置。
【請求項２２】
記録媒体に画像を形成する記録手段、をさらに備え、
前記記録手段は、無線通信を介して外部の装置から送信された印刷用のデータに基づいて、前記画像を形成することを特徴とする請求項１乃至２１のいずれか１項に記載の画像形成装置。
【請求項２３】
アクセスポイントとして動作可能な画像形成装置において実行される制御方法であって、
前記アクセスポイントへの接続が確立されたクライアントがリストとして表示され、前記アクセスポイントとの間で確立された接続をキャンセルするクライアントが指定可能であるリスト画面を表示手段に表示させる制御工程、を有し、
前記制御工程では、前記アクセスポイントへの接続が確立されているクライアントの数が所定数である場合、他のクライアントからの前記アクセスポイントへの接続確立の要求の受信に応じて、ユーザに通知画面を表示させ、前記アクセスポイントへの接続が確立されているクライアントの数が前記所定数でない場合、前記要求の受信に応じて、前記ユーザに前記通知画面を表示させることなく、前記他のクライアントの前記アクセスポイントへの接続を確立させ、
前記通知画面は、前記リスト画面へ遷移させるための選択項目を含む、
ことを特徴とする制御方法。
【請求項２４】
アクセスポイントとして動作可能な画像形成装置において実行される制御方法であって、
前記アクセスポイントへの接続が確立されたクライアントがリストとして表示され、前記アクセスポイントとの間で確立された接続をキャンセルするクライアントの指定の指示が可能なリスト画面を表示手段に表示させる制御工程、を有し、
前記制御工程では、前記アクセスポイントへの接続が確立されているクライアントの数が所定数である場合、他のクライアントからの前記アクセスポイントへの接続確立の要求の受信に応じて、ユーザに通知メッセージを表示させ、前記アクセスポイントへの接続が確立されているクライアントの数が前記所定数でない場合、前記要求の受信に応じて、前記ユーザに前記通知メッセージを表示させることなく、前記他のクライアントの前記アクセスポイントへの接続を確立させ、
前記通知メッセージは、前記キャンセルの指示を促すためのメッセージである、
ことを特徴とする制御方法。
【請求項２５】
アクセスポイントとして動作可能な画像形成装置において実行される制御方法であって、
前記アクセスポイントへの接続が確立されたクライアントの数と特定のボタンが配置された第１の画面を表示手段に表示させ、前記アクセスポイントへの接続が確立されたクライアントがリストとして表示され、前記特定のボタンの選択に基づいて、前記アクセスポイントとの間で確立された接続をキャンセルするクライアントが指定可能である第２の画面を前記表示手段に表示させる制御工程、
を有することを特徴とする制御方法。
【請求項２６】
請求項２３に記載の各工程をコンピュータに実行させるためのプログラム。
【請求項２７】
請求項２４に記載の各工程をコンピュータに実行させるためのプログラム。
【請求項２８】
請求項２５に記載に各工程をコンピュータに実行させるためのプログラム。
【手続補正２】
【補正対象書類名】明細書
【補正対象項目名】発明の名称
【補正方法】変更
【補正の内容】
【発明の名称】画像形成装置、制御方法およびプログラム
【手続補正３】
【補正対象書類名】明細書
【補正対象項目名】０００１
【補正方法】変更
【補正の内容】
【０００１】
本発明は、端末と無線通信が可能な画像形成装置、制御方法およびプログラムに関する。
【手続補正４】
【補正対象書類名】明細書
【補正対象項目名】０００９
【補正方法】変更
【補正の内容】
【０００９】
本発明の目的は、このような従来の問題点を解決することにある。上記の点に鑑み、本発明は、端末との通信接続を適切に制御する画像形成装置、制御方法およびプログラムを提供することを目的とする。
【手続補正５】
【補正対象書類名】明細書
【補正対象項目名】００１０
【補正方法】変更
【補正の内容】
【００１０】
上記課題を解決するため、本発明に係る画像形成装置は、アクセスポイントとして動作可能な画像形成装置であって、前記アクセスポイントへの接続が確立されたクライアントがリストとして表示され、前記アクセスポイントとの間で確立された接続をキャンセルするクライアントが指定可能であるリスト画面を表示手段に表示させる制御手段、を備え、前記制御手段は、前記アクセスポイントへの接続が確立されているクライアントの数が所定数である場合、他のクライアントからの前記アクセスポイントへの接続確立の要求の受信に応じて、ユーザに通知画面を表示させ、前記アクセスポイントへの接続が確立されているクライアントの数が前記所定数でない場合、前記要求の受信に応じて、前記ユーザに前記通知画面を表示させることなく、前記他のクライアントの前記アクセスポイントへの接続を確立させ、前記通知画面は、前記リスト画面へ遷移させるための選択項目を含むことを特徴とする。